(57)【特許請求の範囲】
【請求項１】
イメージセンサから画像信号を得てメモリにデジタル記録する撮像記録手段と、前記メモリに記録された画像データに基づいて、記録媒体に画像を記録するプリント手段と、これらを駆動する電源電池を装填する電源電池収納部と、前記記録媒体を装填する装填室とを備えた電子スチルカメラにおいて、
前記装填室に、補助用の電池，外部記憶媒体，ＡＣアダプタなど、カメラ本体が有する機能を拡張するための拡張機器を装填することができるように、前記拡張機器と前記カメラ本体とを接続する接続手段を設けたことを特徴とする電子スチルカメラ。
【請求項２】
前記補助用の電池から前記電源電池に充電するための充電回路を設けたことを特徴とする請求項１記載の電子スチルカメラ。
【請求項３】
前記プリント手段は、前記記録媒体の記録面と対面して配置され、この状態で前記記録面と平行に移動しながら画像を記録するプリントヘッドを備えるとともに、前記装填室を前記プリントヘッドが移動する移動空間と隣接させ、前記拡張機器を前記装填室から前記移動空間に渡って装填できるようにしたことを特徴とする請求項１又は２記載の電子スチルカメラ。
【請求項４】
前記プリント手段は、感光性を有する記録媒体にプリント光を照射して画像を記録するプリントヘッドを有し、前記記録媒体として自己現像処理型のインスタントフイルムが用いられ、プリント手段による画像記録後のインスタントフイルムは展開ローラを含む展開装置を経て外部に排出されることを特徴とする請求項１〜３いずれか１つ記載の電子スチルカメラ。
【請求項５】
前記装填室には、前記記録媒体を複数枚収納した記録媒体パックが装填されるとともに、前記プリント手段は、未使用の記録媒体が残されている使用途中の前記記録媒体パックが装填された場合でも、その未使用の記録媒体にプリントできるものであることを特徴とする請求項１〜４いずれか１つ記載の電子スチルカメラ。
【請求項６】
前記プリント手段は、感熱記録方式のプリントヘッドを備えたことを特徴とする請求項１又は２記載の電子スチルカメラ。
【発明の詳細な説明】
【０００１】
【発明の属する技術分野】
本発明は、プリント機構を内蔵した電子スチルカメラに関するものである。
【０００２】
【従来の技術】
ＣＣＤイメージセンサなどにより光学的な被写体画像を電気的な画像信号に変換し、さらにデジタル変換して得られた画像データをメモリに保存するようにした携帯型の電子スチルカメラが普及している。メモリに記録された画像データを適宜に読み出すことによって、カメラボディに組み込まれた液晶（ＬＣＤ）表示パネルのほか、ＣＲＴモニタやパーソナルコンピュータなどの外部機器を利用して被写界画像を再生することができる。
【０００３】
また、本出願人は、小型で大容量の電源を必要としない光プリンタを内蔵した電子スチルカメラを特願平９−２９１０５８号で提案している。この電子スチルカメラには、記録材料として自己現像処理型のインスタントフイルムが用いられ、撮像を行ってメモリに画像データを記録した後に、メモリから読み出した画像データに基づいて光プリンタを駆動し、インスタントフイルムに光学記録（露光）を行ってハードコピーを得る構成となっている。このため、独立したプリンタに接続する必要がなく、撮影したその場でプリントした画像を楽しむことができる。このインスタントフイルムは、複数枚がセットされたフイルムパックの形で本体に収納される。
【０００４】
【発明が解決しようとする課題】
しかしながら、光プリンタを内蔵することにより、電源を収納するスペースが相対的に小さくなってしまう。そして、電源の容量が小さくなるので、長時間の撮影に使用できないという問題が生じてしまう。電子スチルカメラの場合、ＣＣＤＤイメージセンサやＬＣＤパネルを駆動する必要があり、通常のカメラと比較すると電力消費が格段に大きくなるので、重要な問題となる。
【０００５】
そこで、大容量の電源を収納するために、ボディサイズを大型化することが考えられる。しかし、こうすると、持ち運びに不便となり携帯性を悪化させてしまう。
【０００６】
本発明は、上記問題点を解決するためになされたもので、携帯性を損なうことなく、長時間使用が可能な電子スチルカメラを提供することを目的とする。
【０００７】
【課題を解決するための手段】
前記目的を達成するために、本発明の電子スチルカメラは、イメージセンサから画像信号を得てメモリにデジタル記録する撮像記録手段と、前記メモリに記録された画像データに基づいて、記録媒体に画像を記録するプリント手段と、これらを駆動する電源電池を装填する電源電池収納部と、前記記録媒体を装填する装填室とを備えた電子スチルカメラにおいて、前記装填室に、補助用の電池，外部記憶媒体，ＡＣアダプタなど、カメラ本体が有する機能を拡張するための拡張機器を装填することができるように、これらを前記カメラ本体と接続する接続手段を設けたことを特徴とするものである。
【０００８】
なお、前記補助用の電池から前記電源電池に充電するための充電回路を設けることが好ましい。また、前記装填室を前記プリントヘッドが移動する移動空間と隣接させ、前記拡張機器を前記装填室から前記移動空間に渡って装填できるようにすることが好ましい。
【０００９】
また、前記プリント手段は、感光性を有する記録媒体にプリント光を照射して画像を記録するプリントヘッドを有し、前記記録媒体として自己現像処理型のインスタントフイルムが用いられ、プリント手段による画像記録後のインスタントフイルムは展開ローラを含む展開装置を経て外部に排出されるようにすることが好ましい。
【００１０】
さらに、前記装填室には、前記記録媒体を複数枚収納した記録媒体パックが装填されるとともに、前記プリント手段は、未使用の記録媒体が残されている使用途中の前記記録媒体パックが装填された場合でも、その未使用の記録媒体にプリントできるようにすることが好ましい。
【００１１】
また、請求項６記載の電子スチルカメラは、感熱記録方式のプリントヘッドを備えたことを特徴とするものである。
【００１２】
【発明の実施の形態】
電子スチルカメラの正面外観を示す図２において、カメラボディ２の上方に電源スイッチ３が設けられ、これをオン操作することによって各種操作キーの操作が有効化されるとともに、この電子スチルカメラは自動的に被写体撮像用の撮像モードに移行する。また、カメラボディ２の前面上方には、撮影レンズ４とストロボ発光窓５とが設けられている。グリップ部６の側面に電池室蓋７が設けられ、これを開放することによって電源電池８が交換される。電源電池８には、例えば充電が可能な単３型の電池が４本用いられる。
【００１３】
グリップ部６の前面にはレリーズボタン９が設けられ、レリーズボタン９を押すとカメラレンズ４を通して一回の撮像が行われる。撮影レンズ４には、例えば１．２ｍから無限遠までを焦点深度内に含むパンフォーカスレンズが用いられる。
【００１４】
カメラボディ２の上面にはスリット状の排出口１０が形成されており、この排出口１０は、常態ではドア１１によって光密に覆われている。プリント操作を行ったときには、排出口１０から露光済みのインスタントフイルム１２が突出し、ドア１１を押し開きながらカメラボディ２外に排出される。
【００１５】
このインスタントフイルム１２としては、周知のモノシートタイプのインスタントフイルムが用いられる。モノシートタイプのインスタントフイルム１２は、本出願人などによる商品化によってすでに広く普及しており、感光シート、受像シート、現像処理液を内包したポッドとを基本的な構成要素としている。そして、感光シートに露光を与えることによって光化学的に潜像を形成した後、この感光シートと受像シートとの間に現像処理液を展開しながら両シートを加圧することによって、受像シートにポジ画像が転写される。
【００１６】
インスタントフイルム１２は、図１に示すように、フイルムパック１３と称されるプラスチック製のケースに１０枚積層して収納される。カメラボディ２の前面中央部には、装填蓋１４が開閉自在に設けられており、フイルムパック１３は、この装填蓋１４を開閉して装填室１６に装填される。装填室１６の奥には、装填室１６と隣接して、プリント部１５が設けられている。フイルムパック１３の底面には、インスタントフイルム１２の露光面を露呈する開口が形成されており、フイルムパック１３は、この開口がプリント部１５と対面する向きで装填される。
【００１７】
この装填室１６には、フイルムパック１３の他に、補助用の電池パック１７が装填される。電池パック１７は、充電可能な電池１８を６本と、この電池１８を収納するケース１９とからなる。ケース１９は、装填室１６に装填できるように、フイルムパック１３の外形と同形状に形成される。電池パック１７の一端には、本体と接続するための端子２１が設けられている。装填室１６には、この端子２１と接続するためのコネクタ２２が設けられる。
【００１８】
このコネクタ２２には、端子２１と接触して電気的な接続を行う接片２２ａが取り付けられている。電池パック１７は、端子２１とコネクタ２２とを接続して装填される。この電池パック１７は、電源電池８の補充用の電源として使用されるとともに、電源電池８を充電するための供給電源として使用される。なお、電源電池８としては、充電可能な電池を使用しなくてもよく、この場合、電池パック１７は、補充用の電源としてのみ機能する。
【００１９】
図３に上記電子スチルカメラの背面側の構成を示す。カメラボディ２の背面には、ＬＣＤ（液晶）パネル２４，マルチオペレーションボタン２６，モード切り換えキー２７，プリントスタートキー２８等の全ての操作部が設けられている。
【００２０】
ＬＣＤパネル２５は、撮影レンズ４を通して撮像される被写体画像をリアルタイムで表示するいわゆる電子ビューファインダーを構成するとともに、メモリから読み出した画像データの再生等に使用される。また、符号２９はパターンセグメントを配列した情報表示用のＬＣＤ表示板を示し、撮像コマナンバー，プリント枚数などが表示される。
【００２１】
マルチオペレーションボタン２６は、モード切り換えキー２７との併用で、様々な撮像モードでの操作や、再生モード，プリントモード時のコマ選択等の操作に使用される。プリントスタートキー２８を押圧操作すると、選択した画像のプリントが開始される。モード切り換えキー２７は、撮像モード，再生モード，プリントモード，充電モードの各モードを選択するためのものである。このモード切り換えキー２７で選択したモードは、ＬＣＤ表示板２９に表示される。電池パック１７が装填された状態で、モード切り換えキー２７を充電モードにセットすると、電源電池８に充電が開始される。
【００２２】
図４に、正面側からみたときの、カメラボディ２に内蔵された各機構部のレイアウトを示す。撮影レンズ４の背後に位置するように、ＣＣＤイメージセンサ３３を含む撮像回路ユニット３４が設けられている。フイルムパック１３が装填された装填室１６を取り囲むように、展開ローラ３６，展開駆動機構３７，リニアプリントヘッド３９を含むヘッド移動機構４０が組み込まれている。展開ローラ３６の上方には、ストロボ用の回路基板３８が設けられる。また、符号４１は展開駆動機構３７の動力源となる展開モータを、符号４２は制御部を概略的に表している。この展開ローラ３６，展開モータ４１，展開駆動機構３７，ヘッド移動機構４０がプリント部１５を構成する。
【００２３】
上記機構のうち、展開ローラ３６及び展開駆動機構３７は、例えば特開平４−１９４８３２号公報などに記載されたように、従来のインスタントカメラに用いられているものと同じでよく、その機能も全く同一である。すなわち、これらはフイルムパック１３の中から露光済みのインスタントフイルム１２を送り出し、また送り出しながら現像処理液の展開を行うために用いられる。
【００２４】
周知のように、展開駆動機構３７はクロー爪及びその移動機構を含む。クロー爪は、展開モータ４１の駆動により作動して露光済みのインスタントフイルム１２の下端を上方に押し出し、インスタントフイルム１２の上端を一対の展開ローラ３６の間に送り込む。この時点で展開ローラ３６は回転しているから、以後は展開ローラ３６によってインスタントフイルム１２が上方へと搬送される。インスタントフイルム１２の上端部分に現像処理液を内包したポッド１２ａが設けられ、また一対の展開ローラ３６は互いに接近する方向にバネ付勢されているから、展開ローラ３６によってインスタントフイルム１２が搬送される間に、ポッド１２ａが破れて現像処理液が感光シートと受像シートとの間に展開される。
【００２５】
図５にプリント部１５の外観を示す。リニアプリントヘッド３９は、その長手方向がインスタントフイルム１２の搬送方向に対して直交するように配置される。また、リニアプリントヘッド３９は、インスタントフイルム１２の露光面と対面するように配置され、前記露光面と平行に移動しながらプリントを行う。リニアプリントヘッド３９は、先の特願平９−２９１０５８号明細書及び図面に記載されたように、インスタントフイルム１２の排出方向と直交する向き（矢印Ｍ方向）にドットセグメントの透過型液晶を多数配列した液晶アレイと、これらにライン状の白色照明光を照射する発光体と、液晶アレイと発光体との間に設けられた赤色透過、緑色透過  青色透過の３種類の帯状のカラーフィルタとを内蔵している。
【００２６】
各色のカラーフィルタは、リニアプリントヘッド３９が矢印Ｓ方向に１スキャンするごとに、一つずつ順次に発光体と液晶アレイとの間に移動する。したがって発光体からの照明光は、赤色，緑色，青色のいずれか一色のプリント光となる。液晶アレイの各ドットごとの透過濃度を、色ごとに、かつ矢印Ｓ方向，Ｍ方向の各スキャン位置ごとに変えることによって、インスタントフイルム１２上にカラープリントを行うことが可能となる。この実施形態では、１画面のプリントを行うに際し、リニアプリントヘッド３９を矢印Ｓ方向に１．５往復させるようにしており、それぞれ各色ごとに面順次でプリントを行う。なお、白色の発光体を用いる代わりに赤，緑，青を発色する発光ダイオードをアレイ状に並べて用いた場合には、カラーフィルタが不要となる。
【００２７】
制御部４２は、撮像回路ユニット３４，リニアプリントヘッド３９，各種モータ４１，４３等，システム全体をコントロールするシステムコントローラを中心に構成されている。この制御部４２には、撮像した画像データを記録するメモリ４５と、充電回路４６や画像処理回路等の各種回路が設けられている。電源スイッチ３をはじめ、マルチオペレーションボタン２６，モード切り換えキー２７，プリントスタートキー２８等のキー操作入力は、この制御部４２によって監視され、その入力信号に基づいて、撮像、再生、プリント等が行われる。
【００２８】
充電回路４６は、電池パック１７を供給電源として電源電池８に充電を行うためのものである。電池パック１７が装填室１６に装填されると、コネクタ２２から制御部４２に向けて電気信号が送信される。この電気信号をシステムコントローラが受けている時に、モード切り換えキー２７によって充電モードが選択されると、制御部４２は、充電回路６９をオンにして、電池パック１７から電源電池８への充電を開始させる。モード切り換えスイッチ２７により撮像モードや再生モードが選択されている場合には、電池パック１７と電源電池８とは直列に接続されて、電池パック１７は補助用の電源として機能する。
【００２９】
以下、上記構成の作用について説明する。長時間の撮影を行う場合には、電源電池８の他に、電池パック１７を装填室１６に装填する。電源スイッチ３をオンすると撮像モードに設定される。端子２２とコネクタ２１との接続により、電池パック１７は補助用の電源として機能する。
【００３０】
撮像モード下では、ＣＣＤイメージセンサ３３が被写体画像を連続的に撮像し、その画像は電子ビューファインダーとして機能するＬＣＤパネル２４に表示される。フレーミングを行ってレリーズボタン９を押すと、その時点でＬＣＤパネル２４に表示されていた被写体画像の画像データがメモリ４５に書き込まれる。メモリ４５には最大で５０画面分の静止画像に関する画像データを記憶させることができる。
【００３１】
メモリ４５で記憶可能な画面数の撮像を行った後であっても、適宜のコマの画像データを消去すれば新たな撮像で得た画像データを記憶させることが可能である。また、外部メモリ等の外部記憶媒体をセットできるようにしておけば、外部記憶媒体に新たな撮像で得た画像データを記憶させたり、メモリ４５から読み出した画像データを転送して記憶させることも可能である。
【００３２】
電源の容量が増加しているので、１度にたくさんの撮影を行っても電池切れの心配がない。また、電池の消耗が激しいＬＣＤパネル２４等を安心して使用することができる。撮影が終了した場合には、モード切り換えキー２７を充電モードにセットしておけば、電源電池８に充電が開始され、プリント処理時に必要な電源を蓄えておくことができる。
【００３３】
プリント処理を行う場合には、電池パック１７とフイルムパック１３とを入れ替えて、モード切り換えキー２７でプリントモードを選択する。マルチオペレーションボタン１６によって、任意の画像データを選択して、それをＬＣＤパネル２４に画像表示させる。
【００３４】
プリントスタートキー２８を操作するとプリント処理が開始される。制御部４２はメモリ４５にアクセスして、最初の１ライン分の中の赤色に相当する画像データを順次に読み出す。また、赤色フィルタがプリント光路内に挿入されていること、また液晶アレイの各液晶セグメントが遮光状態であることを確認した上で、蛍光ランプを点灯させる。
【００３５】
リニアプリントヘッド３９は、初期状態では、図５に二点鎖線で示すように、インスタントフイルム１２の最下端部に対面した初期位置にあり、この位置が最初の１ライン分の記録位置となる。リニアプリントヘッド３９に１ライン分の画像データが順次に液晶アレイに送られ、各々の液晶セグメントの透過濃度が画像データに応じた透過濃度に切り替えられる。赤色フイルタ及びそれぞれの液晶セグメントを透過したＲプリント光が、インスタントフイルム１１に赤色の露光を与える。そして、各々の液晶セグメントは、露光後に再び遮光状態に戻る。
【００３６】
こうして１ライン分のＲプリント光による露光が完了すると、ヘッド駆動モータ４３が一定角度回転してリニアプリントヘッド３９を次ライン位置に移動させる。続いて２ライン目の赤色濃度に対応した画像データが転送され、同様にして２ライン目のＲプリント光による露光が行われる。引き続き、リニアプリントヘッド３２を展開ローラ２１側にステップ送りしながら１ラインごとにＲプリント光による露光が行われ、最終ラインのプリントが終わるとＲプリント光による露光が終了する。
【００３７】
次に、制御部４２は、赤色フイルタに代えて緑色フィルタをプリント光路内に挿入する。続いて、画像データのうち、最終ラインの中の緑色に相当する画像データを順次に読み出して液晶アレイに送る。以後は、同様にしてＧプリント光による露光が最終ライン位置から最初の１ライン位置に向かって行われる。Ｇプリント光による露光が終了した後は、青色フィルタがプリント光路内に挿入され、青色に相当する画像データが１ラインごとに読み取られ、同様にしてＢプリント光による露光が行われる。こうしてＲ，Ｇ，Ｂの各プリント光による露光が完了すると、リニアプリントヘッド３９は、プリント完了位置（図４上実線で示す）よりも展開ローラ３６側に寄った退避位置に移動する。
【００３８】
リニアプリントヘッド３９が退避位置に移動した後、展開駆動機構３７が作動を開始し、クロー爪が露光済みのインスタントフイルム１２をフイルムパック１３から掻き出す。展開ローラ３６の回転によってインスタントフイルム１２が搬送され、同時に現像ポッド１２ａが破れて現像処理液の展開が行われる。プリントが終了すると、クロー爪は、その移動ストロークの終端まで移動し元の位置に戻って停止する。クロー爪が元の位置に戻ると、ヘッド駆動モータ４３が駆動され、リニアプリントヘッド３９は初期位置に戻る。
【００３９】
インスタントフイルム１２は排出口１０を通り、ドア１１を押し開きながらカメラボディ２の外部に排出される。１分〜数分経過すると、被写体画像がポジ画像として受像シートに定着され、選択した画像をハードコピーとして得ることができる。
【００４０】
装填したフイルムパック１３に収納されたインスタントフイルム１２を使い切ったら、新しい未使用のフイルムパック１３を装填すれば、引き続きプリント処理を継続することができる。プリント処理を開始する前に、電源電池８に充電を行っておけば、ＡＣ電源を使用することができない屋外においても、大量のプリント処理を行うことができる。
【００４１】
また、上記では、電池パック１７を収納した状態で撮影を行い、後でまとめてプリントするようにしているが、もちろん、フイルムパック１３を装填した状態で撮影を行い、適宜プリント処理を行ってもよい。
【００４２】
また、図６（Ａ）に示すように、装填室１６は、リニアプリントヘッド３９が移動するヘッド移動空間７１と隣接して設けられる。プリント処理を行わない時には、リニアプリントヘッド３９は初期位置（図上実線で示す）に停止しているので、該ヘッド３９が占有している空間以外のヘッド移動空間７１は、空の状態になる。
【００４３】
図６（Ｂ）に示すように、このヘッド移動空間７１を利用して、大型の電池パック７２を装填してもよい。電池パック７２は、電池１８を１０本収納したもので、本数が増えた分、その外形が大型化している。装填室１６とヘッド移動空間７１は隣接して設けられているので、電池パック７２は、装填室１６とヘッド移動空間７１に渡って装填される。このため、カメラボディ２の外形サイズを大きくすることなく、電源の容量をさらに大きくすることができる。これによれば、さらに長時間の撮影が可能になる。
【００４４】
上記の例では、フイルムパックとして周知のインスタントフイルムパックを使用するプリント機構を内蔵した形で説明しているが、このプリント機構では、未露光のインスタントフイルムが残された状態のフイルムパックをカメラ本体からいったん取り出してしまうと、再度装填してプリントすることができない。本発明は、このような現行のインスタントフイルムパック及びインスタントフイルムプリント機構を採用した電子スチルカメラだけでなく、未露光のフイルムが残されているフイルムパックを再度装填して使用することができるような、途中交換可能なフイルムパック及びフイルムプリントシステムを採用した電子スチルカメラに使用してもよい。これによれば、未露光のフイルムが残っている状態で電源がなくなったとしても、いったんフイルムパックを取り出して、電池パックに入れ替えて充電を行い、その後、再度使用途中のフイルムパックを装填して、撮影を継続することができる。
【００４５】
また、図７に示すように、装填室には、電池パックの他に、例えば、ＡＣアダプター７３を装填できるようにしてもよい。この他、補助用の外部記憶媒体としてハードディスク７４やメモリパック７５等の拡張機器を装填できるようにしてもよい。この場合には、接続手段として電源用のコネクタ７６の他に、データ送信用の接続端子７７を接続するためのコネクタ７８が必要になる。これによれば、撮影した画像データをさらに大量に記憶することができる。
【００４６】
また、拡張機器としてメモリと電池パックとの両方を一度に接続できるように、その両方が組み込まれるとともに、装填室に装填できるような形状で外形を形成した専用のユニットを使用してもよい。これによれば、撮影等に必要な消費電力量と、画像データの記憶容量とをバランスよく増加させることができる。
【００４７】
また、上記例では、記録媒体に光を照射して画像を記録する光記録方式のプリントヘッドを使用した例で説明したが、図８及び図９に示す電子スチルカメラ８１のように、感熱記録方式のプリントヘッドを使用したものでもよい。電子スチルカメラ８１は、その前面に撮影レンズが設けられており、撮影レンズの後方にはＣＣＤが内蔵されている。また、その背面にファインダ８２，液晶パネル８３，モード切り換えキー８４，装填蓋８６が設けられている。撮像した画像はメモリカード８５に記録される。このメモリカード８５は、電子スチルカメラ８１の側面に設けた挿入口８７から装填される。装填蓋８６は、カートリッジ８８や電池パック８９を装填室９０に装填するために、開閉自在に取り付けられている。
【００４８】
この装填室９０の内部には、サーマルヘッド９２と、このサーマルヘッド９２と対向して記録紙９３を支持するプラテンローラ９４とが設けられている。カートリッジ８８は、記録紙９３をロール状に巻いた記録紙ロール９５と、インクリボン９６とを組み込んでユニット化したものである。サーマルヘッド９２は、インクリボン９６を記録紙９３に押し当てて、これを加熱することにより固体状のインクを溶融し、溶融したインクを記録紙９３に転写する熱転写式のプリントヘッドである。プリントされた記録紙９３は、カッタ９７によりカットされて排紙される。
【００４９】
また、装填室９０の内部にはコネクタ９８が設けられており、このコネクタ９８が電池パック８９の端子９９と接続される。これにより、電池パック８９から電源電池１０１への充電が可能になるとともに、電池パック８９が補助用の電池として機能する。なお、この例では、感熱記録方式のプリントヘッドとして、熱転写型のサーマルヘッドを用いた例で説明したが、この他、昇華型などのプリントヘッドを使用してもよい。
【００５０】
【発明の効果】
以上詳細に説明したように、本発明はの電子スチルカメラは、撮像した画像を記録媒体に記録するプリント手段が備えられ、この記録媒体を装填する装填室に、補助用の電池，外部記憶媒体，ＡＣアダプタなど、カメラ本体が有する機能を拡張するための拡張機器を装填することができるように、前記拡張機器と前記カメラ本体とを接続する接続手段を設けたから、カメラ本体の外形サイズを大きくすることなく、電池容量や記憶容量など電子スチルカメラが有する機能を拡張することができる。これにより、長時間の使用や大量の画像データの記憶をおこなうことができる。しかも、拡張機器を装填室に装填できるようにしたから、カメラ本体の外形を大型化することもない。
【図面の簡単な説明】
【図１】装填室を開いた状態の電子スチルカメラの外観斜視図である。
【図２】図１に示す電子スチルカメラの正面外観斜視図である。
【図３】図１に示す電子スチルカメラの背面外観斜視図である。
【図４】図１に示す電子スチルカメラの内部機構のレイアウトを示す説明図である。
【図５】プリント部の外観を示す概略図である。
【図６】図１に示す電子スチルカメラの断面図である。
【図７】外部記憶装置等を接続するコネクタが設けられた電子スチルカメラの外観斜視図である。
【図８】感熱記録方式のプリントヘッドを内蔵した電子スチルカメラの外観斜視図である。
【図９】図８の電子スチルカメラの装填室内部の概略を示す正面図である。
【符号の説明】
２  カメラボディ
１２  インスタントフイルム
１３  フイルムパック
１６  装填室
１７，８９  電池パック
２１，７７，９９  端子
２２，７６，７８，９８  コネクタ
【図１】
0003802997.tif 000002
【図２】
0003802997.tif 000003
【図３】
0003802997.tif 000004
【図４】
0003802997.tif 000005
【図５】
0003802997.tif 000006
【図６】
0003802997.tif 000007
【図７】
0003802997.tif 000008
【図８】
0003802997.tif 000009
【図９】
0003802997.tif 000010